(57)【要約】【課題】予約状況を把握する。【解決手段】施設を見学するための予約を受け付ける情報処理装置であって、受け付けた予約毎に、見学する団体名、見学する人数、見学日、見学開始時刻及び見学終了時刻を示す各情報を含む見学予約情報を記憶する見学予約データベースと、通信可能に接続された情報処理端末から、日付を指定した予約状況閲覧要求を受信する予約状況閲覧要求受信部と、前記指定された日付に施設を見学する各団体の団体名、見学する人数、及び見学開始時刻から見学終了時刻までの間を棒グラフで表した当日の行動予定をそれぞれ表す画像データを、前記見学予約データベースに記憶されている各見学予約情報に基づいて生成する画像データ生成部と、前記生成した画像データを前記情報処理端末に送信する画像データ送信部と、を備えることを特徴とする情報処理装置に関する。【選択図】  図９
2007052482.tif 000002
【特許請求の範囲】
【請求項１】
施設を見学するための予約を受け付ける情報処理装置であって、
受け付けた予約毎に、見学する団体名、見学する人数、見学日、見学開始時刻及び見学終了時刻を示す各情報を含む見学予約情報を記憶する見学予約データベースと、
通信可能に接続された情報処理端末から、日付を指定した予約状況閲覧要求を受信する予約状況閲覧要求受信部と、
前記指定された日付に施設を見学する各団体の団体名、見学する人数、及び見学開始時刻から見学終了時刻までの見学時間を棒グラフで表した見学スケジュールを示した画像データを、前記見学予約データベースに記憶されている各見学予約情報に基づいて生成する画像データ生成部と、
前記生成した画像データを前記情報処理端末に送信する画像データ送信部と、
を備えることを特徴とする情報処理装置。
【請求項２】
前記情報処理端末から、施設を見学する団体名、見学する人数、見学日、見学開始時刻及び見学終了時刻を示す各情報を受信する見学予約情報受信部と、
前記受信した各情報を見学予約情報として前記見学予約データベースに書き込む見学予約受付部と、
を備えることを特徴とする請求項１に記載の情報処理装置。
【請求項３】
所定の印刷データを印刷する印刷装置と通信可能に接続され、  
前記見学予約データベースに見学予約情報として記憶されている各情報を、印刷データとして情報処理端末に送信する印刷データ送信部と、
を備えることを特徴とする請求項２に記載の情報処理装置。
【請求項４】
施設を利用するための予約を受け付ける情報処理装置であって、
受け付けた予約毎に、予約申込者、利用する施設、利用日、利用開始時刻及び利用終了時刻を示す各情報を含む利用予約情報を記憶する施設予約データベースと、
通信可能に接続された情報処理端末から、予約申込者、利用する施設、利用日、利用開始時刻及び利用終了時刻を示す各情報を含む予約リクエスト情報を受信する利用予約情報受信部と、
前記施設予約データベースの中に、前記予約リクエスト情報に記載された予約申込者とは異なる予約申込者が同一の施設を同時刻に利用することを示す利用予約情報が記憶されていない場合に、前記予約リクエスト情報に記載された各情報を利用予約情報として前記施設予約データベースに書き込む利用予約受付部と、
を備えることを特徴とする情報処理装置。
【請求項５】
各施設の単位時間当たりの利用料金である利用単価をそれぞれ記憶した利用単価記憶データベースと、
前記予約リクエスト情報に記載された利用する施設、利用開始時刻及び利用終了時刻を示す各情報、及び前記利用単価記憶データベースに記憶された前記施設の利用単価に基づいて、前記予約リクエスト情報に記載された施設の利用料金を算出する利用料金算出部と、
前記算出した利用料金を前記情報処理端末に送信する利用料金送信部と、
を備えることを特徴とする請求項４に記載の情報処理装置。
【請求項６】
施設を見学するための予約を通信可能に接続された情報処理端末から受け付け、受け付けた予約毎に、見学する団体名、見学する人数、見学日、見学開始時刻及び見学終了時刻を示す各情報を含む見学予約情報を記憶する見学予約データベースを備える情報処理装置の制御方法であって、
前記情報処理装置が、前記情報処理端末から日付を指定した予約状況閲覧要求を受信し、
前記情報処理装置が、前記指定された日付に施設を見学する各団体の団体名、見学する人数、及び見学開始時刻から見学終了時刻までの間を棒グラフで表した当日の行動予定をそれぞれ表す画像データを、前記見学予約データベースに記憶されている各見学予約情報に基づいて生成し、
前記情報処理装置が、前記生成した画像データを前記情報処理端末に送信する
ことを特徴とする情報処理装置の制御方法。
【請求項７】
施設を見学するための予約を通信可能に接続された情報処理端末から受け付け、受け付けた予約毎に、見学する団体名、見学する人数、見学日、見学開始時刻及び見学終了時刻を示す各情報を含む見学予約情報を記憶する見学予約データベースを備える情報処理装置に、
前記情報処理端末から日付を指定した予約状況閲覧要求を受信する手順と、
前記指定された日付に施設を見学する各団体の団体名、見学する人数、及び見学開始時刻から見学終了時刻までの間を棒グラフで表した当日の行動予定をそれぞれ表す画像データを、前記見学予約データベースに記憶されている各見学予約情報に基づいて生成する手順と、
前記生成した画像データを前記情報処理端末に送信する手順と、
を実行させるためのプログラム。
【発明の詳細な説明】
【技術分野】
【０００１】
本発明は、施設を見学するための予約を受け付ける情報処理装置、情報処理装置の制御方法及びプログラムに関する。
【背景技術】
【０００２】
施設を利用する為に事前に予約が必要な場合がある。特に不特定多数の利用者が利用可能な施設などでは、施設を円滑に運用するために、事前の予約を受け付けるようにしている。予約の際には、電話などで直接施設の担当者へ予約申込みを行うことが多いが、近年の情報処理技術の進歩により、コンピュータシステムを用いて予約を行うこともできるようになった（例えば特許文献１参照）。
【特許文献１】特開２００３−４４７２８号公報
【発明の開示】
【発明が解決しようとする課題】
【０００３】
ところで、多くの企業や自治体では、工場や研究所、発電所などの見学を受け付けている。これらの施設を見学するためには、企業側が受け入れ可能な人数の制約や、施設を案内する担当者の事前準備、見学コースのスケジューリングなどのために、事前の予約が必要である。
【０００４】
そのため、新規の見学予約申込みを受け付ける際に、見学希望日に既になされている予約の状況を把握することは重要である。特に、その日にどのような団体が何人程度、何時から何時まで施設に滞在するのか等の各情報を、その日の全体の予約状況として把握することは重要である。
【０００５】
本発明は、上記課題を鑑みてなされたものであり、施設を見学するための予約を受け付ける際に予約状況を一覧表示させる情報処理装置、情報処理装置の制御方法及びプログラムを提供することを主たる目的とする。
【課題を解決するための手段】
【０００６】
上記課題を解決するために、本発明は、施設を見学するための予約を受け付ける情報処理装置であって、受け付けた予約毎に、見学する団体名、見学する人数、見学日、見学開始時刻及び見学終了時刻を示す各情報を含む見学予約情報を記憶する見学予約データベースと、通信可能に接続された情報処理端末から、日付を指定した予約状況閲覧要求を受信する予約状況閲覧要求受信部と、前記指定された日付に施設を見学する各団体の団体名、見学する人数、及び見学開始時刻から見学終了時刻までの間を棒グラフで表した当日の行動予定をそれぞれ表す画像データを、前記見学予約データベースに記憶されている各見学予約情報に基づいて生成する画像データ生成部と、前記生成した画像データを前記情報処理端末に送信する画像データ送信部と、を備えることを特徴とする情報処理装置に関する。
【０００７】
その他、本願が開示する課題、及びその解決方法は、発明を実施するための最良の形態の欄、及び図面により明らかにされる。
【発明の効果】
【０００８】
施設を見学するための予約を受け付ける際に予約状況を一覧表示させる情報処理装置、情報処理装置の制御方法及びプログラムを提供することができる。
【発明を実施するための最良の形態】
【０００９】
＝＝＝全体構成例＝＝＝
本実施の形態に係る施設管理システム３００の全体構成を図１に示す。  
本実施の形態に係る施設管理システム３００は、クライアント（特許請求の範囲に記載の情報処理端末に相当する）１００と、施設管理サーバ（特許請求の範囲に記載の情報処理装置に相当する）２００とがネットワーク４００を介して通信可能に接続されてなる。
【００１０】
本実施の形態においては、クライアント１００は、企業等における各種施設の利用予約や見学の予約を受け付ける担当者により操作されるコンピュータである。ここで利用予約を受け付ける施設としては、例えば会議室や野球場、テニスコート、サッカー場、グランドなどとすることができる。また見学の予約を受け付ける施設としては、例えば企業が有する研究所、工場、原子力発電所などとすることができる。特に原子力発電所の見学の場合は、見学者や見学目的が様々であり、近所の幼稚園児や小学生が遠足目的で見学にくる場合もあるし、海外の専門技術者が技術調査のために見学にくる場合もある。このため見学者を受け入れる側の企業は、見学者や見学目的、見学者の人数等に応じた対応を行わなければならないため、事前に見学の予約をしてもらった上で、見学コースの策定や配布するパンフレットやお土産などの検討を行うことになる。
【００１１】
施設管理サーバ２００は、各施設の利用予約状況や見学の予約状況を管理するためのコンピュータである。詳しくは後述するが、本実施の形態に係る施設管理サーバ２００を用いると、見学受付時に必要な項目を入力することにより、対応記録や各種帳票を出力することができる。また見学行程の標準が作成されているので、見学申込み団体にあった見学コースの作成を容易に行うことができる。また見学予約入力の際に、会議室や映像ホールの使用を決めると連動して予約することもできる。さらに利用する施設や利用時間を入力すると、利用料金を自動で計算することもできる。そして、各施設の予約状況を一画面で確認することができる。
【００１２】
＝＝＝機器構成＝＝＝
次に、施設管理サーバ２００及びクライアント１００のそれぞれのハードウェア構成について説明する。  
施設管理サーバ２００及びクライアント１００はいずれもコンピュータであり、ハードウェア構成は基本的に同様である。そのため、これらのハードウェア構成を一つのブロック図にまとめて図２に示す。またこれらの各機能をそれぞれ実現するための制御プログラム等やテーブル等について、図３、図４、及び図３８乃至図４５に示す。
【００１３】
＜施設管理サーバの構成＞
まず施設管理サーバ２００の構成について説明する。  
施設管理サーバ２００は、ＣＰＵ（Central Processing Unit）２１０、メモリ２２０、ポート２３０、記録媒体読取装置２４０、入力装置２５０、出力装置２６０、記憶装置２８０を備える。
【００１４】
ＣＰＵ２１０は施設管理サーバ２００の全体の制御を司るもので、記憶装置２８０に記憶される本実施の形態に係る各種の動作を行うためのコードから構成される施設管理サーバ制御プログラム（特許請求の範囲に記載のプログラムに相当する）９００をメモリ２２０に読み出して実行することにより、施設管理サーバ２００としての各種機能を実現する。例えばＣＰＵ２１０により施設管理サーバ制御プログラム９００が実行され、メモリ２２０やポート２３０、入力装置２５０、出力装置２６０、記憶装置２８０等のハードウェア機器と協働することにより、特許請求の範囲に記載の見学予約データベース、予約閲覧要求受信部、画像データ生成部、画像データ送信部、見学予約情報受信部、見学予約受付部、印刷データ送信部、施設予約データベース、利用予約情報受信部、利用予約受付部、利用単価記憶データベース、利用料金算出部、利用料金送信部が実現される。メモリ２２０は例えば半導体記憶装置により構成することができる。
【００１５】
記録媒体読取装置２４０は、記録媒体５００に記録されているプログラムやデータを読み取るための装置である。読み取られたプログラムやデータはメモリ２２０や記憶装置２８０に格納される。従って、例えば記録媒体５００に記録された施設管理サーバ制御プログラム９００を、記録媒体読取装置２４０を用いて上記記録媒体５００から読み取って、メモリ２２０や記憶装置２８０に記憶するようにすることができる。  
記録媒体５００としてはフレキシブルディスクや磁気テープ、コンパクトディスク等を用いることができる。記録媒体読取装置２４０は施設管理サーバ２００に内蔵されている形態とすることもできるし、外付されている形態とすることもできる。
【００１６】
記憶装置２８０は、例えばハードディスク装置や半導体記憶装置等とすることができる。記憶装置２８０には、施設管理サーバ制御プログラム９００や見学予約データベース７００、予約外入場者データベース７１０、予約外出庫データベース７２０、入庫データベース７３０、施設予約データベース７４０、スポーツ施設予約データベース７５０、スポーツ施設料金データベース（特許請求の範囲に記載の利用単価記憶データベースに相当する）７６０、利用者管理データベース７７０が記憶される。なおスポーツ施設予約データベース７５０は、施設予約データベース７４０と同様に、特許請求の範囲に記載の施設予約データベースに相当する。
【００１７】
施設管理サーバ制御プログラム９００は、本実施の形態に係る施設管理サーバ２００の各機能を実現するためのプログラムである。例えば、クライアント１００から送信されてくる施設の見学の予約リクエストを受信し、見学予約データベース７００に見学予約情報として記憶したり、クライアント１００から日付を指定した施設の見学予約状況閲覧要求を受信し、見学予約データベース７００に記憶されている見学予約情報に基づいて、指定された日付に施設を見学する各団体の団体名、見学する人数、及び見学開始時刻から見学終了時刻までの見学時間を棒グラフで表した見学スケジュールを示した画像データを生成してクライアント１００に送信したりする。またその他、例えばオペレーティングシステムのように施設管理サーバ２００を制御するための機能を備えるようにすることもできる。
【００１８】
見学予約データベース７００は、施設を見学する団体名や見学する人数、見学日、見学開始時刻、見学終了時刻を示す各情報など、施設への見学予約情報を記憶するデータベースである。見学予約データベース７００を図４５に示す。
【００１９】
予約外入場者データベース７１０は、予約なしに施設を訪れて見学していった見学者に関する情報を記録するデータベースである。予約外入場者データベース７１０に記憶される見学者に関する情報としては、見学者の住所地の都道府県名別の人数などである。予約外入場者データベース７１０を図３９に示す。予約外入場者データベース７１０に記憶しておいたこれらの情報は、例えば見学者の統計分析に利用することができる。
【００２０】
予約外出庫データベース７２０は、予約なしに施設を訪れて見学していった見学者に配布したパンフレットの数やお土産の数を記憶しておくデータベースである。予約外出庫データベース７２０を図４０に示す。予約外出庫データベース７２０にこれらの情報を記憶しておくようにすることにより、パンフレットやお土産の在庫管理を確実に行うことができるようになる。
【００２１】
入庫データベース７３０は、見学者に配布するパンフレットやお土産の仕入れ数を記憶するデータベースである。入庫データベース７３０を図４１に示す。入庫データベース７３０に記憶されたこれらの情報も、パンフレットやお土産の在庫管理に利用することができる。
【００２２】
施設予約データベース７４０は、会議室や映像ホールなどの利用予約情報を記憶するデータベースである。施設予約データベース７４０を図４２に示す。詳しくは後述する。
【００２３】
スポーツ施設予約データベース７５０は、野球場やテニスコートなどの利用予約情報を記憶するデータベースである。スポーツ施設予約データベース７５０を図４３に示す。
【００２４】
スポーツ施設料金データベース７６０は、各施設の単位時間当たりの利用料金である利用単価をそれぞれ記憶するデータベースである。スポーツ施設料金データベース７６０を図４４に示す。
【００２５】
利用者管理データベース７７０は、施設管理システム３００の利用者つまり施設の利用予約や見学の予約を受け付ける担当者を管理するためのデータベースである。利用者管理データベース７７０を図３９に示す。
【００２６】
図２に戻って、入力装置２５０は施設管理サーバ２００へのデータ入力等のために用いられる装置でありユーザインタフェースとして機能する。入力装置２５０としては例えばキーボードやマウス等を用いることができる。
【００２７】
出力装置２６０は情報を外部に出力するための装置でありユーザインタフェースとして機能する。出力装置２６０としては例えばディスプレイやプリンタ（特許請求の範囲に記載の印刷装置に相当する）等とすることができる。なおもちろん、施設管理サーバ２００とプリンタとはネットワーク４００を介して通信可能に接続されるようにすることもできる。
【００２８】
ポート２３０は通信を行うための装置である。例えばネットワーク４００を介して行われる、クライアント１００等の他のコンピュータとの通信は、ポート２３０を介して行われるようにすることができる。また例えば、施設管理サーバ制御プログラム９００をポート２３０を通じて他のコンピュータからネットワーク４００を介して受信して、メモリ２２０や記憶装置２８０に記憶するようにすることもできる。
【００２９】
＜クライアントの構成＞
次にクライアント１００の構成について説明する。クライアント１００は、ＣＰＵ１１０、メモリ１２０、ポート１３０、記録媒体読取装置１４０、入力装置１５０、出力装置１６０、記憶装置１８０を備える。これらの各装置の機能は、上述した施設管理サーバ２００が備える各装置と同様である。  
図４に示すように、クライアント１００が備える記憶装置１８０には、本実施の形態に係る各種の動作を行うためのコードから構成されるクライアント制御プログラム９１０が記憶される。  
ＣＰＵ１１０がクライアント制御プログラム９１０をメモリ１２０に読み出して実行することにより、クライアント１００としての各種機能が実現される。
【００３０】
＝＝＝処理の流れ＝＝＝
次に、本実施の形態に係る施設管理システム３００における処理の流れを、クライアント１００が備えるディスプレイに表示される画面例を示しながら説明する。クライアント１００が備えるディスプレイに表示される画面例を、図５乃至図３７に示す。
【００３１】
まず施設の見学の予約や施設の利用予約を受け付ける担当者は、クライアント１００が備えるディスプレイ等の出力装置１６０に表示される図５に示すログイン画面において、ユーザ名とパスワードとを入力する。入力されたユーザ名とパスワードはクライアント１００から施設管理サーバ２００に送信される。そして施設管理サーバ２００により、利用者管理データベース７７０に記録された情報と照合され、一致するユーザ名（利用者ＩＤ）とパスワードがあればログインが許可される。その場合にはクライアント１００には図６に示す画面が表示される。
【００３２】
＜見学予約＞
図６に示す画面において、担当者により「見学予約ボタン」にマウスのカーソルが重ねられてクリックされる（以下「見学予約ボタン」がクリックされる、又は「見学予約ボタン」をクリックするとも記す）と、図７に示す見学予約カレンダーがクライアント１００に表示される。見学予約カレンダーは、指定した月の予約状況をカレンダー形式で表示したものである。これにより、１ヶ月の予約状況を一画面で確認することができる。
【００３３】
ここで見学予約カレンダーの日付欄をクリックすると、指定した日の見学予約を新規で登録できる「見学予約登録画面」を表示させることができる。詳しくは後述する。星印が表示されている日は、その日に見学の予約が入っていることを示す。星印をクリックすると、日付を指定した予約状況閲覧要求がクライアント１００から施設管理サーバ２００に送信される。そして施設管理サーバ２００は、指定された日付に施設を見学する各団体の団体名、見学する人数、及び見学開始時刻から見学終了時刻までの見学時間を棒グラフで表した見学スケジュールを示した画像データを、見学予約データベース７００に記憶されている各見学予約情報に基づいて生成する。そしてクライアント１００は施設管理サーバ２００から画面データを受信することにより、後述する「見学予約グラフ表示画面」をディスレプレイに表示させる。これにより担当者は指定した日の見学予約状況をグラフ形式で確認することができる。見学予約カレンダーの前月欄をクリックすると現在表示されている月の前月の見学予約カレンダーを表示させることができる。見学予約カレンダーの今月欄をクリックすると本日の月の見学予約カレンダーを表示させることができる。見学予約カレンダーの来月欄をクリックすると現在表示されている月の翌月の見学予約カレンダーを表示させることができる。
【００３４】
「現在表示月の一覧表示」をクリックすると「見学予約一覧画面」を表示させることが出来る。これにより現在表示されている月の見学予約内容を一覧で表示させることができる。「見学予約一覧画面」が表示されている様子を図８に示す。  
図８に示すように、「見学予約一覧画面」では、その月の見学予約内容を一覧で確認することができる。ここで「見学団体名」欄に記載されている団体名をクリックすると、後述する「見学予約詳細画面」を表示させることができ、指定した団体の詳細な見学予約内容を確認することができる。
【００３５】
図７に示す画面において星印をクリックすると「見学予約グラフ表示画面」を表示させることができる。「見学予約グラフ表示画面」が表示されている様子を図９に示す。図９に示すように、「見学予約グラフ表示画面」では各団体の見学時間が棒グラフで表現されている。また見学時間内の各見学行程が色分け表示されているので、見学行程を確認しやすくなっている。「見学団体名」欄に記載されている団体名をクリックすると、後述する「見学予約詳細画面」を表示させることができ、指定した団体の詳細な見学予約内容を確認することができる。また「来客入域連絡票印刷」をクリックすると、その日に見学に訪れる団体が施設に立ち入ることを各部署に連絡する為の帳票（「来客入域連絡票」）を印刷する事が出来る。来客入域連絡票の印刷は、見学予約データベース７００に見学予約情報として記憶されている各情報に基づいて、来客入域連絡票を印刷データとしてプリンタに送信することにより行うことができる。そうすると、プリンタから、用紙に印刷された来客入域連絡票が出力される。
【００３６】
なおここで、プリンタに送信される来客入域連絡票は、一旦クライアント１００に送信され、クライアント１００に接続されるプリンタから来客入域連絡票を印刷するようにすることもできる。あるいは、クライアント１００に送信された来客入域連絡票を、クライアント１００が備えるディスプレイに画像イメージとして表示させるようにすることもできる。
【００３７】
図１０に来客入域連絡票の例を示す。来客入域連絡票は、例えば警備部門の担当者や立ち入り箇所の責任者に対して、見学者の立ち入りを事前に連絡するための書面である。本実施の形態に係る施設管理システム３００では、このような書面をマウスのクリック操作で簡単に出力する事ができるのである。同様に図９の画面において「見学者受付連絡票兼許可証印刷」をクリックすると、図１１に示すような見学者受付連絡票兼許可証を印刷する事ができる。
【００３８】
次に、図７に示す画面において「日付」をクリックして「見学予約登録画面」が表示されている様子を図１２に示す。施設の見学の予約申込みを依頼された担当者は、図１２に示す画面の各欄を入力してゆく事により、見学予約を受け付ける事ができる。ここで入力された各情報は、クライアント１００から施設管理サーバ２００に送信され、図４５に示される見学予約データベース７００に見学予約情報として書き込まれる。図１２に示すように、見学予約受付の際に入力される情報は、施設を見学する団体名や見学する人数、見学日、見学開始時刻及び見学終了時刻を示す情報をはじめ、見学申込者、見学コース、見学目的、通訳の有無、昼食の要否など多岐に渡る。なお、利用会議室欄に会議室を入力すると、その情報が施設予約データベース７４０に反映され、その会議室の予約を行うこともできる。ただし、予約申込者とは異なる予約申込者が同一の施設を同時刻に利用することを示す利用予約情報が施設予約データベース７４０に既に記憶されている場合には、登録は行われない。しかし、予約申込者とは異なる予約申込者が同一の施設を同時刻に利用することを示す利用予約情報が施設予約データベース７４０に記憶されていない場合には登録が行われる。これにより、予約申込者の異なる他人同士が、同じ会議室を同じ時間に利用するといった事態が生じることを防止することができる。
【００３９】
次に、図８に示した「見学予約一覧」又は図９に示した「見学予約グラフ表示」において、見学団体名をクリックする事により「見学予約詳細画面」が表示されている様子を図１３に示す。「見学予約詳細画面」に表示される内容は、図１２に示す「見学予約登録画面」に表示される内容とほぼ同じである。しかし例えば、見学予定が変更された場合などには、該当する欄を再入力して「更新」をクリックする事により、見学予約データベース７００に記憶されている見学予約情報を書き換えることができる。また見学がキャンセルされた場合には、「削除」欄をクリックする事により、見学予約データベース７００に記憶されている見学予約情報を削除することもできる。また「見学予約詳細画面」では、「土産」欄、「パンフレット」欄、「見学スケジュール」欄をクリックすることにより、それぞれ図１４、図１５、図１６に示す「土産登録画面」、「パンフレット登録画面」、「見学スケジュール登録画面」を表示させることができる。
【００４０】
図１４に示す「土産登録画面」では、見学者に配布する土産の内容と数を登録することができる。土産の数と内容は、見学予約データベース７００に記憶される。これにより、各見学者にそれぞれ相応しい土産を配布することができる。例えば見学者が小学生である場合には、小学生に喜ばれるようなお土産を配布することができる。また事前に数を登録しておくことにより、当日、その土産が在庫切れであったというような事態が起きないようにすることができる。
【００４１】
図１５に示す「パンフレット登録画面」では、見学者に配布するパンフレットの内容と数を登録しておくことができる。パンフレットの数と内容も見学予約データベース７００に記憶される。これにより、各見学者にそれぞれ適切なパンフレットを配布する事が可能となる。日本語の読めない海外からの見学者などには英文のパンフレットを配布する。また土産と同様に、事前に数を登録しておくことにより、当日、そのパンフレットが在庫切れであったというような事態が起きないようにすることができる。
【００４２】
図１６に示す「見学スケジュール登録画面」では、見学団体の要望に応じて、見学行程を詳細にアレンジすることができる。例えば丸１日かけて施設を見学する団体には、施設の様々な箇所を詳細に案内するように設定する事ができるし、見学時間が午前中のみであるような団体には、施設の概要を理解してもらえるような見学コースを設定することが出来る。また「見学スケジュール登録画面」では、見学の各見学行程において、施設の案内担当者や説明員を登録しておくことが出来る。このようにすることにより、当日施設を案内する担当者がいないといった事態が起きないようにすることができる。またその担当者は、その団体にふさわしい案内ができるように事前に準備をしておくことも可能となる。見学コースの設定は、事前に標準として作成されている複数の見学コースの中から適宜選択して組み合わせることにより行うことが可能である。もちろん、新しい見学コースを作成することもできる。
【００４３】
＜予約検索＞
図６に示す画面において、担当者により「見学予約検索ボタン」がクリックされると、図１７に示す「見学予約検索画面」がクライアント１００に表示される。ここで担当者が検索の条件として必要な各欄を入力して「検索」をクリックすると、施設管理サーバ２００の見学予約データベース７００に記憶されている各見学予約情報の中から、条件に一致するものが抽出される。そしてそれらの見学予約情報がクライアント１００に送信されてきて、図８に示した「見学予約一覧画面」に示すように表示される。
【００４４】
＜予約外入場者登録＞
図６に示す画面において、担当者により「予約外入場者登録ボタン」がクリックされると、図１８に示す「予約外入場者登録画面」がクライアント１００に表示される。ここで担当者が、日付を指定して、その日に予約無しに見学に来た見学者の住所地の都道府県別に、それぞれ大人、高校生、中学生、小学生、幼児の各人数を入力する。ここで入力したデータは、図３９に示した予約外入場者データベース７１０に記憶される。これらの情報は、例えば見学者の統計分析に利用することができる。
【００４５】
＜予約外出庫登録＞
図６に示す画面において、担当者により「予約外出庫登録ボタン」がクリックされると、図１９に示す「予約外出庫登録画面」がクライアント１００に表示される。ここで担当者は、予約無しに見学に来た見学者に配布したパンフレットの数とお土産の数をそれぞれ入力する。ここで入力したデータは、図４０に示した予約外出庫データベース７２０に記憶される。これにより、パンフレットやお土産の在庫管理を確実に行うことができるようになる。
【００４６】
＜入庫登録＞
図６に示す画面において、担当者により「入庫登録ボタン」がクリックされると、図２０に示す「入庫登録画面」がクライアント１００に表示される。ここで担当者は、その日に入庫した配布したパンフレットの数とお土産の数をそれぞれ入力する。ここで入力したデータは、図４１に示した入庫データベース７３０に記憶される。また「入庫登録画面」においてはその日の残数も表示されるが、残数が所定値よりも少ない場合には、赤文字で表示される。これにより、パンフレットやお土産の在庫が少なくなったことを担当者は容易に知ることが可能となる。
【００４７】
＜使用実績一覧＞
図６に示す画面において、担当者により「使用実績一覧ボタン」がクリックされると、図２１に示す「使用実績一覧画面」がクライアント１００に表示される。ここで担当者が年度選択欄、物品欄、日付入力欄の各欄を入力して「一覧表表示」をクリックすると、物品欄に入力されたパンフレットやお土産に関して、その年度の各月毎の入庫数、出庫数、残数を表示させることができる。これらの数値は、見学予約データベース７００、予約外出庫データベース７２０及び入庫データベース７３０にそれぞれ記憶されている各データに基づいて算出される。これにより、パンフレットやお土産の在庫管理が適切になされているか否かの確認を容易に行うことが可能となる。
【００４８】
＜施設予約＞
図６に示す画面において、担当者により「施設予約ボタン」がクリックされると、図２２に示す施設予約カレンダーがクライアント１００に表示される。施設予約カレンダーは、見学予約カレンダーと同様、指定した月の会議室や映像ホール等の各施設の予約状況をカレンダー形式で表示したものである。これにより、１ヶ月の予約状況を一画面で確認することができる。
【００４９】
施設予約カレンダーの日付欄をクリックすると指定した日の施設の予約を新規で登録できる「施設予約登録画面」を表示させることができる。詳しくは後述する。星印が表示されている日は、その日に施設の利用予約が入っていることを示す。星印をクリックすると、日付を指定した施設予約状況閲覧要求がクライアント１００から施設管理サーバ２００に送信される。そして施設管理サーバ２００は、指定された日付において各施設の利用予約がなされている時間帯を棒グラフで表した利用予定をそれぞれ表す画像データを、施設予約データベース７４０に記憶されている各利用予約情報に基づいて生成する。そしてクライアント１００は施設管理サーバ２００から画面データを受信することにより、後述する「施設予約グラフ表示画面」をディスレプレイに表示させる。これにより担当者は指定した日の施設予約状況をグラフ形式で確認することができる。施設予約カレンダーの前月欄をクリックすると現在表示されている月の前月の施設予約カレンダーを表示させることができる。施設予約カレンダーの今月欄をクリックすると本日の月の施設予約カレンダーを表示させることができる。施設予約カレンダーの来月欄をクリックすると現在表示されている月の翌月の施設予約カレンダーを表示させることができる。
【００５０】
「現在表示月の一覧表示」をクリックすると「施設予約一覧画面」を表示させることが出来る。これにより現在表示されている月の利用予約を一覧で表示させることができる。「施設予約一覧画面」が表示されている様子を図２３に示す。  
図２３に示すように、「施設予約一覧画面」では、その月の施設の利用予約を一覧で確認することができる。「使用団体名」欄に記載されている団体名をクリックすると、後述する「施設予約詳細画面」を表示させることができ、指定した団体の詳細な利用予約を確認することができる。
【００５１】
図２２に示す画面において星印をクリックすると「施設予約グラフ表示画面」を表示させることができる。「施設予約グラフ表示画面」が表示されている様子を図２４に示す。図２４に示すように、「施設予約グラフ表示画面」では各施設の予約状況が棒グラフで表示されている。また予約している団体毎に色分け表示されているので、予約状況を確認しやすくなっている。そして棒グラフのない部分をクリックすると新規予約を受け付ける「施設予約登録画面」を表示させることができる。またマウスのカーソルを棒グラフの上に重ねると”その時間に予約を入れた団体名”や”利用時間”を表示させることができる。また棒グラフをクリックすると「施設予約詳細画面」を表示させることができる。
【００５２】
次に、図２２に示す画面において「日付」をクリックして「施設予約登録画面」が表示されている様子を図２５に示す。施設の利用予約申込みを依頼された担当者は、図２５に示す画面の各欄を入力してゆく事により、施設の利用予約を受け付ける事ができる。ここで入力された各情報は、クライアント１００から施設管理サーバ２００に送信され、図４２に示される施設予約データベース７４０に利用予約情報として書き込まれる。図２５に示すように、施設の利用予約受付の際に入力される情報は、予約申込者、利用する施設、利用日、利用開始時刻及び利用終了時刻を示す各情報をはじめ、利用者人数、利用目的、予約申込者住所など多岐に渡る。これらの情報は、予約リクエスト情報として施設管理サーバ２００に送信され、予約申込者とは異なる予約申込者が同一の施設を同時刻に利用することを示す利用予約情報が施設予約データベース７４０に記憶されていない場合に、利用予約情報として施設予約データベース７４０に反映される。これにより、予約申込者の異なる他人同士が、同じ会議室を同じ時間に利用するといった事態が生じることを防止することができる。
【００５３】
次に、図２３に示した「施設予約一覧」又は図２４に示した「施設予約グラフ表示」において、団体名をクリックする事により「施設予約詳細画面」が表示されている様子を図２６に示す。「施設予約詳細画面」に表示される内容は、図２５に示す「施設予約登録画面」に表示される内容とほぼ同じである。しかし例えば、予約内容の変更があった場合には、該当する欄を再入力して「更新」をクリックする事により、施設予約データベース７４０に記憶されている利用予約情報を書き換えることができる。また予約がキャンセルされた場合には、「削除」欄をクリックする事により、施設予約データベース７４０に記憶されている利用予約情報を削除することができる。
【００５４】
＜施設予約検索＞
図６に示す画面において、担当者により「施設予約検索ボタン」がクリックされると、担当者に検索の条件を入力させる画面が表示され、それらの条件に従って、施設管理サーバ２００の施設予約データベース７４０に記憶されている各利用予約情報の中から、条件に一致するものが抽出される。そしてそれらの利用予約情報がクライアント１００に送信されてきて、図２３に示した「施設予約一覧画面」に示すように表示される。
【００５５】
＜スポーツ施設予約＞
図６に示す画面において、担当者により「スポーツ施設予約ボタン」がクリックされると、図２７に示すスポーツ施設カレンダーがクライアント１００に表示される。スポーツ施設カレンダーは、見学予約カレンダーや施設予約カレンダーと同様、指定した月の野球場等の各スポーツ施設の予約状況をカレンダー形式で表示したものである。これにより、１ヶ月の予約状況を一画面で確認することができる。
【００５６】
スポーツ施設予約カレンダーの日付欄をクリックすると指定した日のスポーツ施設の予約を新規で登録できる「スポーツ施設予約登録画面」を表示させることができる。詳しくは後述する。星印が表示されている日は、その日にスポーツ施設の利用予約が入っていることを示す。星印をクリックすると、日付を指定したスポーツ施設予約状況閲覧要求がクライアント１００から施設管理サーバ２００に送信される。そして施設管理サーバ２００は、指定された日付において各スポーツ施設の利用予約がなされている時間帯を棒グラフで表した利用予定をそれぞれ表す画像データを、スポーツ施設予約データベース７５０に記憶されている各利用予約情報に基づいて生成する。そしてクライアント１００は施設管理サーバ２００から画面データを受信することにより、後述する「スポーツ施設予約グラフ表示画面」をディスレプレイに表示させる。これにより担当者は指定した日のスポーツ施設予約状況をグラフ形式で確認することができる。スポーツ施設予約カレンダーの前月欄をクリックすると現在表示されている月の前月のスポーツ施設予約カレンダーを表示させることができる。スポーツ施設予約カレンダーの今月欄をクリックすると本日の月のスポーツ施設予約カレンダーを表示させることができる。スポーツ施設予約カレンダーの来月欄をクリックすると現在表示されている月の翌月のスポーツ施設予約カレンダーを表示させることができる。
【００５７】
「現在表示月の一覧表示」をクリックすると「スポーツ施設予約一覧画面」を表示させることが出来る。これにより現在表示されている月のスポーツ施設の利用予約を一覧で表示させることができる。「スポーツ施設予約一覧画面」が表示されている様子を図２８に示す。
【００５８】
図２８に示すように、「スポーツ施設予約一覧画面」では、その月のスポーツ施設の利用予約を一覧で確認することができる。「利用団体名」欄に記載されている団体名をクリックすると、後述する「スポーツ施設予約更新画面」を表示させることができ、指定した団体のスポーツ施設予約情報を更新することができる。
【００５９】
図２７に示す画面において星印をクリックすると「スポーツ施設予約グラフ表示画面」を表示させることができる。「スポーツ施設予約グラフ表示画面」が表示されている様子を図２９に示す。図２９に示すように、「スポーツ施設予約グラフ表示画面」では各スポーツ施設の予約状況が棒グラフで表示されている。また予約している団体毎に色分け表示されているので、予約状況を確認しやすくなっている。そして棒グラフのない部分をクリックすると「スポーツ施設登録画面」を表示させることができる。またマウスのカーソルを棒グラフの上に重ねると”その時間に予約をしている団体名”や”利用時間”を表示させることができる。また棒グラフの部分をクリックすると「スポーツ施設予約更新画面」を表示させることができる。
【００６０】
次に、図２７に示す画面において「日付」をクリックして「スポーツ施設登録画面」が表示されている様子を図３０に示す。スポーツ施設の利用予約申込みを依頼された担当者は、図３０に示す画面の各欄を入力してゆく事により、スポーツ施設の利用予約を受け付ける事ができる。ここで入力された各情報は、クライアント１００から施設管理サーバ２００に送信され、図４３に示されるスポーツ施設予約データベース７５０に利用予約情報として書き込まれる。図３０に示すように、スポーツ施設の利用予約受付の際に入力される情報は、予約申込者、利用する施設、利用日、利用開始時刻及び利用終了時刻を示す各情報をはじめ、利用目的、予約申込者の電話番号など多岐に渡る。これらの情報は、予約リクエスト情報として施設管理サーバ２００に送信され、予約申込者とは異なる予約申込者が同一のスポーツ施設を同時刻に利用することを示す利用予約情報がスポーツ施設予約データベース７５０に記憶されていない場合に、利用予約情報としてスポーツ施設予約データベース７５０に反映される。これにより、予約申込者の異なる他人同士が、例えば同じテニスコートを同じ時間に利用するといった事態が生じることを防止することができる。
【００６１】
なお本実施の形態においては、図３０に示すように、一つの団体が複数のスポーツ施設の予約をすることができる。また各スポーツ施設の利用開始時刻と利用終了時刻を入力すると、それぞれのスポーツ施設の利用料金が計算されて表示される。これは、施設管理サーバ２００に送信される予約リクエスト情報に記載されたスポーツ施設、利用開始時刻及び利用終了時刻を示す各情報、及びスポーツ施設料金データベース７６０に記憶された各スポーツ施設の利用単価に基づいて、施設管理サーバ２００が、予約リクエスト情報に記載されたスポーツ施設の利用料金を算出して、クライアント１００に送信することにより実現される。例えば利用単価が１時間あたり１００円のスポーツ施設を午前１０時から１２時まで２時間利用する場合の利用料金は、２００円と算出することができる。その他、各スポーツ施設に付属の例えばナイター設備やスコアボードなどを利用する場合にも、それぞれスポーツ施設料金データベース７６０に記憶された利用単価と利用時間とに基づいて、利用料金を算出することができる。
【００６２】
次に、図２８に示した「スポーツ施設予約一覧」又は図２９に示した「スポーツ施設予約グラフ表示」において、団体名をクリックする事により「スポーツ施設予約更新画面」が表示されている様子を図３１に示す。「スポーツ施設予約更新画面」に表示される内容は、図３０に示す「スポーツ施設登録画面」に表示される内容とほぼ同じである。しかし例えば、予約内容の変更があった場合には、該当する欄を再入力して「更新」をクリックする事により、スポーツ施設予約データベース７５０に記憶されている利用予約情報を書き換えることができる。また予約がキャンセルされた場合には、「削除」欄をクリックする事により、スポーツ施設予約データベース７５０に記憶されている利用予約情報を削除することができる。
【００６３】
＜帳票印刷（統計）＞
図６に示す画面において、担当者により「帳票印刷（統計）ボタン」がクリックされると、図３２に示す「帳票印刷（統計）画面」がクライアント１００に表示される。ここで担当者が印刷したい帳票をクリックすると、見学予約データベース７００、予約外入場者データベース７１０、予約外出庫データベース７２０、入庫データベース７３０、施設予約データベース７４０、スポーツ施設予約データベース７５０の各データベースに記憶されているデータに基づいて、帳票が作成され、印刷データとしてプリンタに送信される。そしてプリンタから帳票が印刷される。  
例えば図３２に示す画面において、「見学者対応状況報告書印刷」がクリックされると、まずクライアント１００には図３３に示す画面が表示される。ここで見学者対応状況報告書を印刷する期間を入力して「見学者対応状況報告書印刷」をクリックすると、図３４に示す見学者対応状況報告書を印刷することができる。  
他の帳票類についても同様にマウスで選択することにより、印刷することができる。
【００６４】
なお、プリンタに送信される帳票は、一旦クライアント１００に送信され、クライアント１００に接続されるプリンタから印刷するようにすることもできる。このようにすることにより、予約受付担当者は手元にあるプリンタから帳票を印刷することができるようになる。また、クライアント１００に送信された帳票を、クライアント１００が備えるディスプレイに画像イメージとして表示させるようにすることもできる。このようにすることにより、予約受付担当者は、紙に帳票を印刷しなくても、ディスプレイに表示された画像イメージを見ることにより帳票の内容を確認することが可能となる。さらには、帳票の画像イメージデータを、警備員等の他の担当者に電子メール等を用いて送信するようにすることも可能となる。これにより用紙節約を図ることも可能となる。特に毎日多くの見学者が訪れる施設等では、用紙節約の効果は大きい。
【００６５】
＜システム保守＞
図６に示す画面において、担当者により「システム保守ボタン」がクリックされると、図３５に示す「システム保守メニュー画面」がクライアント１００に表示される。ここでは例として「過去データ削除」、「ユーザ認証設定」で示される各処理を行うことができる。
【００６６】
「過去データ削除」がクリックされると、クライアント１００には図３６に示す画面が表示される。そして「予約（外）見学、会議室予約情報」あるいは「スポーツ施設予約情報」を選択して「削除」をクリックする。「予約（外）見学、会議室予約情報」が選択された場合には、見学予約データベース７００、予約外入場者データベース７１０、予約外出庫データベース７２０、入庫データベース７３０、施設予約データベース７４０に記憶されている各データのうち、本日の年度から２年度前より古いデータが消去される。また「スポーツ施設予約情報」が選択された場合には、スポーツ施設予約データベース７５０に記憶されている各データのうち、本日の年度から２年度前より古いデータが消去される。これにより、帳票印刷等を行うのにすでに不要なデータを、記憶装置２８０から消去することができ、記憶装置２８０の記憶容量の有効利用を図ることが可能となる。
【００６７】
図３５に示す画面において、「ユーザ認証設定」がクリックされると、クライアント１００には図３７に示す画面が表示される。この画面の「ユーザ名」及び「パスワード」の各欄に入力されたデータは、図３８の利用者管理データベース７７０に記憶される。そして利用者管理データベース７７０に記憶されたこれらのユーザ名及びパスワードを入力した担当者は、施設管理サーバ２００を利用することができるようになる。なお、図３７に示す画面において、「利用可能機能」欄の各チェックボックスを適宜選択することにより、各ユーザの利用可能機能を制限することができる。各ユーザが利用可能な機能は、図３８の利用者管理データベース７７０に記憶される。これにより、例えば利用者管理データベース７７０に、システム保守の利用を許可するとの情報が記憶されていない担当者により、図６に示す画面において「システム保守ボタン」がクリックされても、その場合には、図３５に示す「システム保守メニュー画面」はクライアント１００には表示されない様にすることができる。
【００６８】
以上、本実施の形態に係る施設管理システム３００について説明したが、本実施の形態によれば、見学受付時に必要な項目を入力することにより、対応記録や各種帳票を出力することができる。また見学行程の標準が作成されているので、見学申込み団体にあった見学コースの作成を容易に行うことができる。また見学予約入力の際に、会議室や映像ホールの使用を決めると連動して予約することもできる。さらに利用する施設や利用時間を入力すると、利用料金を自動で計算することもできる。そして、各施設の予約状況を一画面で確認することができる。
【００６９】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得ると共に、本発明にはその等価物も含まれる。
【図面の簡単な説明】
【００７０】
【図１】本実施の形態に係る施設管理システムの全体構成を示す図である。
【図２】本実施の形態に係る施設管理サーバ、クライアントの構成を示すブロック図ある。
【図３】本実施の形態に係る施設管理サーバの記憶装置の構成を示すブロック図である。
【図４】本実施の形態に係るクライアントの記憶装置の構成を示すブロック図である。
【図５】本実施の形態に係るログイン時における画面を示す図である。
【図６】本実施の形態に係る処理選択画面を示す図である。
【図７】本実施の形態に係る見学予約カレンダー表示画面を示す図である。
【図８】本実施の形態に係る見学予約一覧表示画面を示す図である。
【図９】本実施の形態に係る見学予約グラフ表示画面を示す図である。
【図１０】本実施の形態に係る来客入域連絡票を示す図である。
【図１１】本実施の形態に係る見学者受付連絡票兼許可証を示す図である。
【図１２】本実施の形態に係る見学予約登録画面を示す図である。
【図１３】本実施の形態に係る見学予約詳細画面を示す図である。
【図１４】本実施の形態に係る土産登録画面を示す図である。
【図１５】本実施の形態に係るパンフレット登録画面を示す図である。
【図１６】本実施の形態に係る見学スケジュール登録画面を示す図である。
【図１７】本実施の形態に係る見学予約検索画面を示す図である。
【図１８】本実施の形態に係る見学外入場者登録画面を示す図である。
【図１９】本実施の形態に係る予約外出庫登録画面を示す図である。
【図２０】本実施の形態に係る入庫登録画面を示す図である。
【図２１】本実施の形態に係る使用実績一覧表示画面を示す図である。
【図２２】本実施の形態に係る施設予約カレンダー表示画面を示す図である。
【図２３】本実施の形態に係る施設予約一覧表示画面を示す図である。
【図２４】本実施の形態に係る施設予約グラフ表示画面を示す図である。
【図２５】本実施の形態に係る施設予約登録画面を示す図である。
【図２６】本実施の形態に係る施設予約詳細画面を示す図である。
【図２７】本実施の形態に係るスポーツ施設カレンダー表示画面を示す図である。
【図２８】本実施の形態に係るスポーツ施設予約一覧表示画面を示す図である。
【図２９】本実施の形態に係るスポーツ施設予約グラフ表示画面を示す図である。
【図３０】本実施の形態に係るスポーツ施設登録画面を示す図である。
【図３１】本実施の形態に係るスポーツ施設更新画面を示す図である。
【図３２】本実施の形態に係る帳票印刷（統計）画面を示す図である。
【図３３】本実施の形態に係る見学者対応状況報告書印刷設定画面を示す図である。
【図３４】本実施の形態に係る見学者対応状況報告書を示す図である。
【図３５】本実施の形態に係るシステム保守メニュー画面を示す図である。
【図３６】本実施の形態に係る過去データ削除画面を示す図である。
【図３７】本実施の形態に係るユーザ認証設定画面を示す図である。
【図３８】本実施の形態に係る利用者管理データベースを示す図である。
【図３９】本実施の形態に係る予約外入場者データベースを示す図である。
【図４０】本実施の形態に係る予約外出庫データベースを示す図である。
【図４１】本実施の形態に係る入庫データベースを示す図である。
【図４２】本実施の形態に係る施設予約データベースを示す図である。
【図４３】本実施の形態に係るスポーツ施設予約データベースを示す図である。
【図４４】本実施の形態に係るスポーツ施設料金データベースを示す図である。
【図４５】本実施の形態に係る見学予約データベースを示す図である。
【符号の説明】
【００７１】
１００    クライアント
２００    施設管理サーバ
３００    施設管理システム
４００    ネットワーク
５００    記録媒体
７００    見学予約データベース
７１０    予約入場者データベース
７２０    予約外出庫データベース
７３０    入庫データベース
７４０    施設予約データベース
７５０    スポーツ施設予約データベース
７６０    スポーツ施設料金データベース
７７０    利用者管理データベース
９００    施設管理サーバ制御プログラム
９１０    クライアント制御プログラム
【図１】
2007052482.tif 000003
【図２】
2007052482.tif 000004
【図３】
2007052482.tif 000005
【図４】
2007052482.tif 000006
【図５】
2007052482.tif 000007
【図６】
2007052482.tif 000008
【図７】
2007052482.tif 000009
【図８】
2007052482.tif 000010
【図９】
2007052482.tif 000011
【図１０】
2007052482.tif 000012
【図１１】
2007052482.tif 000013
【図１２】
2007052482.tif 000014
【図１３】
2007052482.tif 000015
【図１４】
2007052482.tif 000016
【図１５】
2007052482.tif 000017
【図１６】
2007052482.tif 000018
【図１７】
2007052482.tif 000019
【図１８】
2007052482.tif 000020
【図１９】
2007052482.tif 000021
【図２０】
2007052482.tif 000022
【図２１】
2007052482.tif 000023
【図２２】
2007052482.tif 000024
【図２３】
2007052482.tif 000025
【図２４】
2007052482.tif 000026
【図２５】
2007052482.tif 000027
【図２６】
2007052482.tif 000028
【図２７】
2007052482.tif 000029
【図２８】
2007052482.tif 000030
【図２９】
2007052482.tif 000031
【図３０】
2007052482.tif 000032
【図３１】
2007052482.tif 000033
【図３２】
2007052482.tif 000034
【図３３】
2007052482.tif 000035
【図３４】
2007052482.tif 000036
【図３５】
2007052482.tif 000037
【図３６】
2007052482.tif 000038
【図３７】
2007052482.tif 000039
【図３８】
2007052482.tif 000040
【図３９】
2007052482.tif 000041
【図４０】
2007052482.tif 000042
【図４１】
2007052482.tif 000043
【図４２】
2007052482.tif 000044
【図４３】
2007052482.tif 000045
【図４４】
2007052482.tif 000046
【図４５】
2007052482.tif 000047